(57)【要約】【課題】  無端状駆動伝達帯の内面に溜まった水を迅速に排水してプーリーと回転体との摩擦力を迅速に回復できる排水促進部材を提供する。【解決手段】  ベルト１１の回動軌跡の内側には、水滴誘導部材２，３が設けられている。水滴誘導部材２は、ベルト１１が回転体２５に接し始める接触開始点Ｐ１とベルト１１が回転体２５から離れ始める接触終了点Ｐ２との範囲Ｒ１内においてベルト１１に対向する位置に設けられている。水滴誘導部材３は、ベルト１１が接触開始点Ｐ３における接線Ｓａと接触終了点Ｐ４における接線Ｓｂとを結ぶ範囲Ｒ２内に設けられている。回転体２４の遠心力によってベルト１１から飛ばされた水滴は、水滴誘導部材３を伝って下方へ送られ、また回転体２５の遠心力によってベルト１１から飛ばされた水滴は、水滴誘導部材２を伝って下方へと送られ、排水案内部２ｆによって、ベルト１１の外側に排出される。【選択図】      図１
2006046416.tif 000002
【特許請求の範囲】
【請求項１】
無端状駆動伝達帯の回動軌跡の内側に設けられて前記無端状駆動伝達帯の内面が接するように設けられる複数のプーリーと、前記無端状駆動伝達帯の回動軌跡の外側に設けられて前記無端状駆動伝達帯の外面が接するように設けられる少なくとも一つの回転体とを備えるとともに、前記無端状駆動伝達帯に所定の張力を設定する補機駆動機構に設けられる排水促進部材であって、
前記無端状駆動伝達帯の回動軌跡の内側には、少なくとも一つの水滴誘導部材が設けられ、少なくとも最下端に位置する前記水滴誘導部材には、前記無端状駆動伝達帯より前記プーリーの回動軸方向の側方に突出する排水案内部が設けられていることを特徴とする排水促進部材。
【請求項２】
前記水滴誘導部材は、前記無端状駆動伝達帯が前記回転体に接し始める接触開始点から前記無端状駆動伝達帯が前記回転体から離れ始める接触終了点までの間の範囲内において前記無端状駆動伝達帯の少なくとも一部が対向するように設けられていることを特徴とする請求項１に記載の排水促進部材。
【請求項３】
前記水滴誘導部材は、前記無端状駆動伝達帯が前記回転体に接し始める接触開始点において前記無端状駆動伝達帯の進行方向に延ばした接線と、前記無端状駆動伝達帯が前記回転体から離れ始める接触終了点における接線とを結ぶ範囲内に前記無端状駆動伝達帯の少なくとも一部が設けられていることを特徴とする請求項１に記載の排水促進部材。
【請求項４】
前記水滴誘導部材は、前記無端状駆動伝達帯に対して凹側を向けた凹形状であることを特徴とする請求項１から請求項３のいずれか１項に記載の排水促進部材。
【請求項５】
前記水滴誘導部材は、前記無端状駆動伝達帯の内面に対して前記側方に向く傾斜面を有していることを特徴とする請求項１から請求項３のいずれか１項に記載の排水促進部材。
【発明の詳細な説明】
【技術分野】
【０００１】
本発明は、自動車用エンジンなどの補機駆動機構に設けられる排水促進部材に係り、特に補機駆動用のベルトが被水したときに排水を速やかに行うことができる排水促進部材に関する。
【背景技術】
【０００２】
自動車用エンジンなどには、各種の補機に動力を伝達するための無端状のベルトが設けられている。この無端状のベルトとしては、主に内面側に３本以上のリブを有するＶリブドベルトが用いられており、このベルトが各種の補機に設けられた各プーリーに掛けられている。しかし、この種のベルトは、被水すると、ベルトとプーリーとの間の摩擦力が低下して、その結果ベルトがスリップして、エンジンの動力を補機に十分に伝達できなくなるおそれがある。このようなスリップを防止するための手段として、ベルトに撥水性を有する素材を塗布して排水性を向上させること（特許文献１参照）や、ベルトを多孔質構造のゴムにより構成して動力の伝達性能を向上させること（特許文献２参照）が提案されている。
【特許文献１】特開平１０−４７４３６号公報（段落００２０〜００２６）
【特許文献２】特開２００４−６０７７９号公報（段落００１１〜００１３）
【発明の開示】
【発明が解決しようとする課題】
【０００３】
しかし、特許文献１及び２に記載の手段では、自動車用エンジンなどの補機駆動機構が必然的に同一面内にベルトを配置する構造であるため、ベルトの内面が被水すると、ベルトが回転するときの遠心力によって振り飛ばされた水がベルトの内面や他のプーリーに飛び散り、排水が迅速に行われないという問題がある。これにより、ベルトとプーリーとの間に摩擦力を低下させる原因となる水が長く介在することになり、ベルトとプーリーとの間でスリップが発生し易くなる。また、内面に複数のリブが設けられているベルトを使用すると、ベルトが被水したときに水がリブとリブとの間に溜まり易くなるため、排水が迅速に行われ難い。
【０００４】
本発明は、前記従来の課題を解決するものであり、ベルトに付着した水を速やかに排出して、スリップを発生し難くできる排水促進部材を提供することを目的とする。
【課題を解決するための手段】
【０００５】
本発明は、無端状駆動伝達帯の回動軌跡の内側に設けられて前記無端状駆動伝達帯の内面が接するように設けられる複数のプーリーと、前記無端状駆動伝達帯の回動軌跡の外側に設けられて前記無端状駆動伝達帯の外面が接するように設けられる少なくとも一つの回転体とを備えるとともに、前記無端状駆動伝達帯に所定の張力を設定する補機駆動機構に設けられる排水促進部材であって、前記無端状駆動伝達帯の回動軌跡の内側には、少なくとも一つの水滴誘導部材が設けられ、少なくとも最下端に位置する前記水滴誘導部材には、前記無端状駆動伝達帯より前記プーリーの回動軸方向の側方に突出する排水案内部が設けられていることを特徴とする。
【０００６】
前記本発明では、無端状駆動伝達帯の回転力によって飛散した水を水滴誘導部材で受けて排水案内部から迅速に排水することが可能になる。よって、無端状駆動伝達帯とプーリーとの摩擦力を早期に回復でき、無端状駆動伝達帯のスリップを発生し難くできる。
【０００７】
例えば、前記水滴誘導部材は、前記無端状駆動伝達帯が前記回転体に接し始める接触開始点から前記無端状駆動伝達帯が前記回転体から離れ始める接触終了点までの間の範囲内において前記無端状駆動伝達帯の少なくとも一部が対向するように設けられている。
【０００８】
このような範囲内に水滴誘導部材を設けることにより、無端状駆動伝達帯から飛散した水滴を水滴誘導部材で効率よく受けて所望方向に流すことができるようになり、迅速な排水が可能になる。
【０００９】
また、前記水滴誘導部材は、前記無端状駆動伝達帯が前記回転体に接し始める接触開始点において前記無端状駆動伝達帯の進行方向に延ばした接線と、前記無端状駆動伝達帯が前記回転体から離れ始める接触終了点における接線とを結ぶ範囲内に前記無端状駆動伝達帯の少なくとも一部が設けられている構成であってもよい。
【００１０】
この範囲内に水滴誘導部材を設けたとしても、無端状駆動伝達帯から飛散した水滴を効率よく受けることができ、迅速な排水が可能になる。
【００１１】
また、前記水滴誘導部材は、前記無端状駆動伝達帯に対して凹側を向けた凹形状である構成にできる。
【００１２】
このような形状にすることにより、無端状駆動伝達帯から飛散した水滴が水滴誘導部材に当るまでの距離を長く設定できるので、水滴の飛行速度を落として水滴が水滴誘導部材に当ったときのその跳ね返りを抑えて、水滴が周囲に飛び散らないようにすることができる。よって、飛散した水滴を水滴誘導部材で確実に受けることができ、水滴を迅速に排出できる。
【００１３】
また、前記水滴誘導部材は、前記無端状駆動伝達帯の内面に対して前記側方に向く傾斜面を有している構成にしてもよい。
【００１４】
このように水滴誘導部材を傾斜させることにより、飛散した水滴が有する運動エネルギーを利用して、水滴の飛散方向を変えて、水滴を無端状駆動伝達帯の外側すなわち他のプーリーや無端状駆動伝達帯にかからない方向に向けて飛ばすことができ、排水をより迅速に行うことが可能になる。
【発明の効果】
【００１５】
本発明によれば、無端状駆動伝達帯の内面に溜まった水を迅速に排出できるので、無端状駆動伝達帯とプーリーとの摩擦力を早期に回復してスリップを発生し難くできる。
【発明を実施するための最良の形態】
【００１６】
（第１実施形態）
図１は、第１実施形態の排水促進部材を補機駆動機構に取り付けたときの状態を示す概略側面図、図２は、図１の一部拡大側面図、図３は、図２のＩＩＩ−ＩＩＩ線の断面図、図４は、図１のＩＶ−ＩＶ線の拡大断面図である。
【００１７】
図１に示すように、本実施形態に係る排水促進部材１Ａは、例えば自動車用エンジン（ベース３０）の補機駆動機構１０に設けられるものである。この補機駆動機構１０は、ベルト（無端状駆動伝達帯）１１と、４個のプーリー２０，２１，２２，２３と、２個の回転体２４，２５とを備え、ベルト１１の内側にプーリー２０〜２３が配置され、ベルト１１の外側に回転体２４，２５が配置されている。例えば、プーリー２０〜２３は、クランク用、アイドル用、オルタネータ用、コンプレッサー用であり、回転体２４，２５は、テンショナ用、スタータモータ用である。なお、補機駆動機構１０の構成は、一例であり、本実施形態に限定されるものではない。
【００１８】
図１に示すように、回転体２４は、プーリー２０の周面とプーリー２１の周面とを結ぶ直線Ｓ１に対して回転体２４の一部が内側に位置するように配置され、また、回転体２５は、プーリー２２の周面とプーリー２３の周面とを結ぶ直線Ｓ２に対して回転体２５の全体が内側に位置するように配置されている。これにより、ベルト１１は、その内面１１ａがプーリー２０〜２３に掛けられて、外面１１ｂが回転体２４，２５に掛けられるようになっている。
【００１９】
図４に示すように、ベルト１１は、その外面１１ｂが平坦形状であり、内面１１ａが複数（図４では７個）のリブ１１ａ１を有する凹凸形状である。一方、ベルト１１の内面１１ａが接するプーリー２０の外周面２０ａは、凹凸形状であり、前記内面１１ａと嵌合するようになっている。なお、ベルト１１の内面１１ａが接するその他のプーリー２１〜２３の外周面も同様に嵌合可能な凹凸形状となっている。
【００２０】
図１に示すように、第1実施形態の排水促進部材１Ａには、ベルト１１の回動軌跡の内側に２つの水滴誘導部材２，３が設けられている。水滴誘導部材２，３は、いずれも図１の側面視したときの形状が凹形状であり、水滴誘導部材２では凹側が回転体２５に向けられ、水滴誘導部材３では凹側が回転体２４に向けられている。
【００２１】
さらに、各水滴誘導部材２，３の設置位置について図１を参照しながら説明する。水滴誘導部材２は、ベルト１１が回転体２５に接触し始める接触開始点をＰ１、ベルト１１が回転体２５から離れ始める接触終了点をＰ２としたときに、接触開始点Ｐ１から接触終了点Ｐ２までの範囲Ｒ１においてベルト１１に対向する位置に設けられている。なお、本実施形態では、水滴誘導部材２が範囲Ｒ１の一部に対向する位置に設けられている。
【００２２】
一方、水滴誘導部材３は、回転体２４にベルト１１が接触を開始する接触開始点をＰ３、回転体２４からベルト１１が離れ始める接触終了点をＰ４としたときに、接触開始点Ｐ３において前記ベルト１１の進行方向に延ばした接線Ｓａと、接触終了点Ｐ４における接線Ｓｂとを結ぶ範囲Ｒ２内に設けられている。なお、本実施形態では、水滴誘導部材３が範囲Ｒ２のほぼ全体に位置するように設けられている。
【００２３】
図２に示すように、水滴誘導部材２は、金属や合成樹脂などで形成された板材で、受け部２ａ，２ｂ，２ｃ，２ｄ，２ｅを有している。受け部２ａは、最も上部に位置して垂直方向に延びる平面形状である。受け部２ｂは、受け部２ａの下端からプーリー２０の曲面に沿って（なお、一部曲面に沿っていない）回転体２５よりも下方へ延びる湾曲形状である。受け部２ｃは、受け部２ｂの下端からプーリー２３に向けてプーリー２３の近傍まで水平方向に延びる平面形状で且つ図３に示すように外方（図２では紙面手前側）に向けて高さが低くなるように傾斜する傾斜面である。受け部２ｄは、図２に示すように、受け部２ｃの先端から斜め上方に向けて延びる平面形状である。受け部２ｅは、水滴誘導部材２の下端の内方（図３参照）側の側面を塞ぐ平面形状である。
【００２４】
また、受け部２ａ，２ｂ，２ｃは、図３に示すように、ベルト１１の幅寸法Ｗよりも若干幅広に設定されている。これにより、水滴が受け部２ａ〜２ｃの両側から落下したときに、その下側に位置するプーリー２０やベルト１１の内面１１ａにかからないようにできる。なお、図示していないが、受け部２ｄも受け部２ａ〜２ｃと同様な幅寸法で形成されている。
【００２５】
図１乃至図３に示すように、水滴誘導部材２には、排水案内部２ｆが設けられている。この排水案内部２ｆは、受け部２ｃの外方に向く端部に一体に形成され、受け部２ｃの斜面の傾斜角に対してさらに下向きとなるように形成されている。さらに、図３に示すように、排水案内部２ｆは、ベルト１１の端部１１ｃよりもプーリー２０の回動軸方向Ｇに対して外方に突出している。
【００２６】
一方、水滴誘導部材３は、図１に示すように、水滴誘導部材２と同様な材料で形成され、受け部３ａ，３ｂ，３ｃを有している。受け部３ａは、最も上部に位置して上部から下部に向けて回転体２４から徐々に離れるように傾斜する平面形状である。受け部３ｂは、受け部３ａの下端から回転体２５に向けて垂直に延びる平面形状である。受け部３ｃは、受け部３ｂの下端から回転体２５の曲面に沿うようにして回転体２４と回転体２５とが最も接近する位置まで延びる湾曲形状である。
【００２７】
次に、第１実施形態の排水促進部材１Ａの排水特性について説明する。
図１に示すように、本実施形態の排水促進部材１Ａが設けられる補機駆動機構１０では、プーリー２０が紙面時計回り方向に回転すると、プーリー２０とともにプーリー２１〜２３が同様な方向に回転し、回転体２４，２５が前記とは逆の反時計回り方向に回転する。このように各プーリー２０〜２３、回転体２４，２５が動作している状態で、ベルト１１の内面１１ａが被水すると、回転体２４，２５とベルト１１の外面１１ｂとがそれぞれ接する部分では、水滴がベルト１１の遠心力によってベルト１１の内側に向けて振り飛ばされる。水滴が飛散する方向について詳述すると、回転体２５側では、接触開始点Ｐ１から接触終了点Ｐ２までの範囲Ｒ１内において、また回転体２４側では、接触開始点Ｐ３から接触終了点Ｐ４までの範囲Ｒ２内において、水滴が接線方向に向けて飛散するようになっている。したがって、前記のように水滴誘導部材２，３をベルト１１の内側に予め設定された範囲Ｒ１，Ｒ２内に設けることにより、ベルト１１から飛ばされた水滴を効率的に受けることができる。
【００２８】
回転体２４に接するベルト１１の内面１１ａから飛散して水滴誘導部材３で受けた水滴は、受け部３ａ，３ｂ，３ｃの内面を伝わりながら受け部３ｃの下端から排出される。受け部３ｃから排出された水滴は、回転体２５に接するベルト１１の内面１１ａから飛散した水滴とともに、水滴誘導部材２に取り込まれる。また、受け部３ｃから排出されて、回転体２５に接するベルト１１の内面１１ａに当った水滴は、ベルト１１の回転力によって吹き飛ばされて水滴誘導部材２に取り込まれるようになっている。
【００２９】
水滴誘導部材２では、受け部２ａ，２ｂを伝って下方へと流れ、受け部２ｃに流れ込む。受け部２ｃに流れ込んだ水滴は、受け部２ｃの傾斜面によって外方（図３参照）に向けて流れ、排水案内部２ｆを通ってベルト１１の端部１１ｃよりも外側に排出される。よって、水滴がその下側に位置するベルト１１の内面１１ａに落下するのを防止でき、水滴誘導部材２，３で回収した水滴をベルト１１の外側に確実に排出することができる。したがって、ベルト１１とプーリー２０〜２３との間の摩擦力を迅速に回復でき、伝達力の低下を発生し難くできる。
【００３０】
また、本実施形態では、図４に示すように、ベルト１１の内面１１ａから振り飛ばされた水滴が水滴誘導部材２によってプーリー２０に当るのを防止できるので、水滴を早期に回収してベルト１１の外部に排出できるようになる。なお、同様にその他のプーリー２１〜２３に対しても水滴が当るのを防止できる。よって、ベルト１１の内面１１ａとプーリー２０〜２３との摩擦力の回復が遅延するのを防止できる。
【００３１】
なお、第１実施形態の排水促進部材１Ａにおいて、水滴誘導部材２，３の両側の縁部を折り曲げて形成して、回収した水滴が水滴誘導部材２，３の両側から流れ落ちないようにしてもよい。このように形成すると、水滴誘導部材２，３の剛性が高くなり、ベース３０に安定して固定できる。また、第１実施形態の排水促進部材１Ａでは、一方の水滴誘導部材２に排水案内部２ｆを設けたが、水滴誘導部材２，３の双方に排水案内部を設けてもよい。
【００３２】
（第２実施形態）
図５は、第２実施形態の排水促進部材を示す側面図、図６は、図５のＶＩ−ＶＩ線の断面図である。
図５に示すように、この実施形態の排水促進部材１Ｂは、水滴誘導部材４により構成されている。この水滴誘導部材４は、前記水滴誘導部材３と同様に、回転体２４とベルト１１との接触開始点Ｐ３においてベルト１１の送り方向に延びる接線Ｓａと接触終了点Ｐ４における接線Ｓｂとで結ばれる範囲Ｒ２内に設けられている。
【００３３】
図５に示すように、水滴誘導部材４は、略四角板状の部材により形成され、図６に示すように、内方に位置する側縁部がベース３０に固定されている。また、水滴誘導部材４は、ベルト１１の内面１１ａが対向する部分に傾斜面４ａが形成され、この傾斜面４ａがベルト１１の外方に向けられている。また、水滴誘導部材４は、先端部４ａ１がベルト１１の外側の端部１１ｃよりも外方に突出し、基端部４ａ２がベルト１１の内側の端部１１ｄよりも内方に突出している。
【００３４】
第２実施形態の排水促進部材１Ｂでは、回転体２４の回転力によってベルト１１から振り飛ばされた水滴が水滴誘導部材４に当ると、水滴が有する運動エネルギーによって水滴の飛散方向が変化させられる。そして、飛散方向が変化した水滴は、図６に示すように、傾斜面４ａに案内されて、ベルト１１の端部１１ｃよりも外方に向けて排出される。
【００３５】
また、第２実施形態では、図６に示すように、傾斜面４ａの先端部４ａ１がベルト１１の端部１１ｃよりも外方に突出しているので、水滴をベルト１１の外側に確実に排出できる。また、水滴誘導部材４に当って傾斜面４ａの先端部４ａ１から排出されなかった水滴は、水滴誘導部材４の面を伝って下方へと流れて、水滴誘導部材４の基端部４ａ２の最下端４ａ３の位置から下方へ落下する。この基端部４ａ２は、ベルト１１の内側の端部１１ｄよりも内方側に位置しているので、水滴が落下してもベルト１１の内面１１ａや他のプーリー２０にかかることがない。なお、水滴誘導部材４の基端部４ａ２の最下端４ａ３が本実施形態での排水案内部として機能している。
【００３６】
このように、第２実施形態であっても、ベルト１１の内面１１ａから飛散した水滴を直ちに排出することができるので、プーリー２０〜２３とベルト１１との摩擦力が迅速に回復して、ベルト１１がスリップし難くなる。
【００３７】
なお、第２実施形態での排水促進部材１Ｂは、前記した実施形態に限定されるものではなく、水滴誘導部材４の形状を適宜変更することができ、例えば、水滴誘導部材４の上縁部に、水滴誘導部材４に当った水滴が上方に突き抜けてプーリー２１やベルト１１の内面１１ａに当らないように遮蔽部材を設けてもよい。また、水滴誘導部材４の下縁部には、下縁部から回転体２５に接するベルト１１の内面１１ａに落下しないように、水滴を基端部４ａ２側に誘導する誘導部材を設けてもよい。また、傾斜面を有する水滴誘導部材４をベルト１１の内側の複数箇所に設けてもよい。
【００３８】
（第３実施形態）
図７は、第３実施形態の排水促進部材を示す概略側面図である。
この排水促進部材１Ｃは、ベルト１１の回動軌跡の内側に水滴誘導部材５を有している。なお、この水滴誘導部材５は、ベルト１１の内面１１ａが接するプーリー２１の近傍に設けられ、プーリー２１の遠心力によって振り飛ばされる水滴を回収するようになっている。
【００３９】
水滴誘導部材５は、第１実施形態での水滴誘導部材２と基本的な構造は同じであり、プーリー２１から飛散する水滴を受けて下方へと送る受け部５ａと、受け部５ａの最下端に位置してベルト１１の端部１１ｃ（図示せず）よりも外方に突出する排水案内部５ｂとを有している。
【００４０】
このようにベルト１１の内面１１ａに接するプーリー２１から飛散する水滴を受けて排出するようにしても、ベルト１１の内側に被水した水滴を迅速に回収して外部に排出できるようになる。
【００４１】
なお、本発明は、第１実施形態乃至第３実施形態に限定されるものではなく、第１実施形態から第３実施形態を適宜組み合わせて構成してもよい。また、水滴誘導部材２，３，５の水滴が当る面に、フェルトなどの跳ね返り防止用のシートを張り付けてもよい。あるいは、水滴誘導部材２〜５の表面に撥水性に優れた部材を設けて、回収した水滴をより迅速に排出するようにしてもよい。
【図面の簡単な説明】
【００４２】
【図１】第１実施形態の排水促進部材を補機駆動機構に取り付けたときの状態を示す概略側面図である。
【図２】図１の一部拡大側面図である。
【図３】図２のＩＩＩ−ＩＩＩ線の断面図である。
【図４】図１のＩＶ−ＩＶ線の拡大断面図である。
【図５】第２実施形態の排水促進部材を示す側面図である。
【図６】図５のＶＩ−ＶＩ線の断面図である。
【図７】第３実施形態の排水促進部材を示す概略側面図である。
【符号の説明】
【００４３】
１Ａ〜１Ｃ  排水促進部材
２〜５  水滴誘導部材
２ａ〜２ｅ，５ａ  受け部
２ｆ，５ｂ  排水案内部
１０    補機駆動機構
１１    ベルト（無端状駆動伝達帯）
１１ａ  内面
１１ｂ  外面
１１ｃ  端部
２０〜２３  プーリー
２４，２５  回転体
Ｐ１，Ｐ３  接触開始点
Ｐ２，Ｐ４  接触終了点
Ｓａ，Ｓｂ  接線
【図１】
2006046416.tif 000003
【図２】
2006046416.tif 000004
【図３】
2006046416.tif 000005
【図４】
2006046416.tif 000006
【図５】
2006046416.tif 000007
【図６】
2006046416.tif 000008
【図７】
2006046416.tif 000009